(57)【要約】【課題】  像面湾曲収差成分を他の収差成分に対して独立に調整することができる。【解決手段】  本発明に係るコンバータ装置３００が備える光学系は、レンズ装置２００によって形成された１次像を２次像として像面に再結像する再結像光学系ＣＬである。再結像光学系ＣＬは、光軸に沿って移動可能な移動群ＶＬを有する。このとき、再結像光学系ＣＬにおける移動群ＶＬの位置を定めたことを特徴とする。【選択図】  図７
2020118807.tif 000002
【特許請求の範囲】
【請求項１】
撮像装置に対して着脱可能なレンズ装置と前記撮像装置との間に装着されるコンバータ装置であって、
前記コンバータ装置が備える光学系は、前記レンズ装置によって形成された１次像を２次像として像面に再結像する再結像光学系であり、
前記再結像光学系は、光軸に沿って移動可能な移動群を有し、
前記移動群は、通常撮影時における前記１次像の結像面から前記移動群の最も物体側の面までの距離および通常撮影時における前記移動群の最も像側の面から像面までの距離のうち小さいほうをＤｍ、前記再結像光学系のレンズ全長をＴＴＤとするとき、
｜Ｄｍ｜／ＴＴＤ＜０．４０
なる条件式を満たすことを特徴とするコンバータ装置。
【請求項２】
通常撮影時における前記移動群の最も物体側の面に入射する最軸外光束の主光線の高さをＨｂｉ、通常撮影時における前記１次像の最大像高をＨｇｉとするとき、
０．５０＜｜Ｈｂｉ／Ｈｇｉ｜＜２．００
なる条件式を満たすことを特徴とする請求項１に記載のコンバータ装置。
【請求項３】
通常撮影時における前記移動群の横倍率をβｍ、前記移動群より像側に配置される全てのレンズの通常撮影時における合成横倍率をβｒとするとき、
０．０１＜｜（１−βｍ２）βｒ２｜＜１．５０
なる条件式を満たすことを特徴とする請求項１または２に記載のコンバータ装置。
【請求項４】
通常撮影時における前記移動群の焦点距離をｆｍ、通常撮影時における前記再結像光学系の焦点距離をｆとするとき、
０．１０＜｜ｆｍ／ｆ｜＜５０
なる条件式を満たす請求項１乃至３のいずれか１項に記載のコンバータ装置。
【請求項５】
通常撮影時における前記再結像光学系の横倍率をβｃとするとき、
−１０．０＜βｃ＜−０．４５
なる条件式を満たすことを特徴とする請求項１乃至４のいずれか１項に記載のコンバータ装置。
【請求項６】
通常撮影時における前記１次像の結像面から前記再結像光学系の入射瞳位置までの光軸上の距離をＰＩ、通常撮影時における前記再結像光学系の焦点距離をｆとするとき、
−１０．０＜ＰＩ／ｆ＜−１．００
なる条件式を満たすことを特徴とする請求項１乃至５のいずれか１項に記載のコンバータ装置。
【請求項７】
通常撮影時における前記１次像の結像面から前記再結像光学系の射出瞳位置までの光軸上の距離をＰＯ、通常撮影時における前記再結像光学系の焦点距離をｆとするとき、
−１０．０＜ＰＯ／ｆ＜−０．１０
なる条件式を満たすことを特徴とする請求項１乃至６のいずれか１項に記載のコンバータ装置。
【請求項８】
通常撮影時における、前記１次像の結像面から、前記再結像光学系の最も物体側の面までの光軸上の距離をＤｉとするとき、
−０．３０＜Ｄｉ／ＴＴＤ＜０．３０
なる条件式を満たすことを特徴とする請求項１乃至７のいずれか１項に記載のコンバータ装置。
【請求項９】
通常撮影時における前記再結像光学系の最も物体側の面から像面までの光軸上の距離をｓｋｄ、通常撮影時における前記再結像光学系の焦点距離をｆとするとき、
０．０１＜ｓｋｄ／ｆ＜１．００
なる条件式を満たすことを特徴とする請求項１乃至８のいずれか１項に記載のコンバータ装置。
【請求項１０】
前記移動群は、前記再結像光学系に含まれる屈折力を有するレンズのうち最も物体側に配置されたレンズを含むことを特徴とする請求項１乃至９のいずれか１項に記載のコンバータ装置。
【請求項１１】
前記移動群は正の屈折力を有することを特徴とする請求項１乃至１０のいずれか１項に記載のコンバータ装置。
【請求項１２】
撮像装置に対して着脱可能なレンズ装置と前記撮像装置との間に装着されるコンバータ装置であって、
前記コンバータ装置が備える光学系は、前記レンズ装置によって形成された１次像を２次像として像面に再結像する再結像光学系であり、
前記再結像光学系は、光軸に沿って移動可能な移動群を有し、
前記移動群は、前記再結像光学系に含まれる屈折力を有するレンズのうち最も物体側のレンズ、当該最も物体側のレンズの像側に隣接して配置されたレンズ、最も像側のレンズ、当該最も像側のレンズの物体側に隣接して配置されたレンズのいずれかを含むことを特徴とするコンバータ装置。
【請求項１３】
像面湾曲収差の調整の指示に用いられる操作部材を有し、
前記操作部材の操作に応じて前記移動群を移動させることを特徴とする請求項１乃至１２のいずれか１項に記載のコンバータ装置。
【請求項１４】
請求項１乃至１３のいずれか１項に記載のコンバータ装置を介して、前記レンズ装置が取り外し可能に装着され、前記再結像光学系によって形成される前記２次像を受光する撮像素子を有することを特徴とする撮像装置。
【請求項１５】
像面湾曲収差の調整の指示に用いられる操作部材を有し、
前記操作部材の操作に応じて前記移動群を移動させることを特徴とする請求項１４に記載の撮像装置。
【請求項１６】
前記移動群の移動に応じて、前記主光学系を構成するレンズのうちフォーカシングに際して移動するレンズが移動することを特徴とする請求項１４または１５に記載の撮像装置。
【請求項１７】
主光学系と、該主光学系によって形成された１次像を２次像として像面に再結像する再結像光学系とを有し、撮像装置に対して着脱可能な交換レンズであり、
前記再結像光学系は、光軸に沿って移動可能な移動群を有し、
前記移動群は、通常撮影時における前記１次像の結像面から前記移動群の最も物体側の面までの距離および通常撮影時における前記移動群の最も像側の面から像面までの距離のうち小さいほうをＤｍ、前記再結像光学系ＣＬのレンズ全長をＴＴＤとするとき、
｜Ｄｍ｜／ＴＴＤ＜０．４０
なる条件式を満たすことを特徴とする交換レンズ。
【発明の詳細な説明】
【技術分野】
【０００１】
本発明は、コンバータ装置、交換レンズ、及び撮像装置に関する。
【背景技術】
【０００２】
一眼レフカメラやミラーレスカメラ等の撮像装置と、撮像装置に対して取り外し可能な
交換レンズを含む撮像システムにおいて、撮像装置と交換レンズの間に装着されるコンバータ装置が知られている。こうした撮像システムでは、コンバータ装置を用いることにより、撮影機能の拡張または撮影倍率の拡大等を図っている。
【０００３】
特許文献１は、交換レンズによって形成された１次像を、像面に２次像として再結像させる光学系を有するコンバータ装置を開示している。
【先行技術文献】
【特許文献】
【０００４】
【特許文献１】特開２０１７−１０２２２７号公報
【発明の概要】
【発明が解決しようとする課題】
【０００５】
近年、撮影表現の拡大のために、画面中心におけるピントずれを抑制しつつ、ユーザが所定の収差成分を独立して調整可能な光学系が望まれている。例えば、像面湾曲収差を他の収差成分に対して独立に調整することで、画面中心に対して画面周辺がぼけた像を得ることができる。
【０００６】
しかし、特許文献１に記載のコンバータ装置では、各レンズ群の位置が固定されているため、交換レンズにより形成された１次像に対してこのような撮影表現機能を付加することは困難である。
【０００７】
上記課題に鑑み、本発明は、像面湾曲収差成分を他の収差成分に対して独立に調整することが可能なコンバータ装置、交換レンズ、撮像装置を提供することを目的とする。
【課題を解決するための手段】
【０００８】
本発明の一実施例に係るコンバータ装置は撮像装置に対して着脱可能なレンズ装置と前記撮像装置との間に装着されるコンバータ装置であって、前記コンバータ装置が備える光学系は、前記レンズ装置によって形成された１次像を２次像として像面に再結像する再結像光学系であり、前記再結像光学系は、光軸に沿って移動可能な移動群を有し、前記移動群は、通常撮影時における、前記１次像の結像面から前記移動群の最も物体側の面までの距離および通常撮影時における前記移動群の最も像側の面から像面までの距離のうち小さいほうをＤｍ、前記再結像光学系ＣＬのレンズ全長をＴＴＤとするとき、
｜Ｄｍ｜／ＴＴＤ＜０．４０
なる条件式を満たすことを特徴とする。
【発明の効果】
【０００９】
本発明の一実施例に係るコンバータ装置によれば、像面湾曲収差成分を他の収差成分に対して独立に調整することができる。
【図面の簡単な説明】
【００１０】
【図１】実施例Ａの主光学系の広角端における断面図。
【図２】実施例Ａの主光学系の物体距離無限遠における収差図。
【図３】実施例Ｂの主光学系の広角端における断面図。
【図４】実施例Ｂの主光学系の物体距離無限遠における収差図。
【図５】実施例Ｃの主光学系の断面図。
【図６】実施例Ｃの主光学系の物体距離無限遠における収差図。
【図７】実施例１の再結像光学系の断面図。
【図８】実施例１の再結像光学系の収差図。
【図９】実施例Ａの主光学系と実施例１の再結像光学系を用いたときの断面図。
【図１０】実施例Ａの主光学系と実施例１の再結像光学系を用いたときの通常撮影時の収差図。
【図１１】実施例Ａの主光学系と実施例１の再結像光学系を用いたときの像面湾曲収差オーバー側設定時の収差図。
【図１２】実施例Ａの主光学系と実施例１の再結像光学系を用いたときの像面湾曲収差アンダー側設定時の収差図。
【図１３】実施例２の再結像光学系の断面図。
【図１４】実施例２の再結像光学系の収差図。
【図１５】実施例Ｂの主光学系と実施例２の再結像光学系を用いたときの断面図。
【図１６】実施例Ｂの主光学系と実施例２の再結像光学系を用いたときの通常撮影時の収差図。
【図１７】実施例Ｂの主光学系と実施例２の再結像光学系を用いたときの像面湾曲収差オーバー側設定時の収差図。
【図１８】実施例Ｂの主光学系と実施例２の再結像光学系を用いたときの像面湾曲収差アンダー側設定時の収差図。
【図１９】実施例３の再結像光学系の断面図。
【図２０】実施例３の再結像光学系の収差図。
【図２１】実施例Ｂの主光学系と実施例３の再結像光学系を用いたときの断面図。
【図２２】実施例Ｂの主光学系と実施例３の再結像光学系を用いたときの通常撮影時の収差図。
【図２３】実施例Ｂの主光学系と実施例３の再結像光学系を用いたときの像面湾曲収差オーバー側設定時の収差図。
【図２４】実施例Ｂの主光学系と実施例３の再結像光学系を用いたときの像面湾曲収差アンダー側設定時の収差図。
【図２５】実施例４の再結像光学系の断面図。
【図２６】実施例４の再結像光学系の収差図。
【図２７】実施例Ｂの主光学系と実施例４の再結像光学系を用いたときの断面図。
【図２８】実施例Ｂの主光学系と実施例４の再結像光学系を用いたときの通常撮影時の収差図。
【図２９】実施例Ｂの主光学系と実施例４の再結像光学系を用いたときの像面湾曲収差オーバー側設定時の収差図。
【図３０】実施例Ｂの主光学系と実施例４の再結像光学系を用いたときの像面湾曲収差アンダー側設定時の収差図。
【図３１】実施例５の再結像光学系の断面図。
【図３２】実施例５の再結像光学系の収差図。
【図３３】実施例Ｃの主光学系と実施例５の再結像光学系を用いたときの断面図。
【図３４】実施例Ｃの主光学系と実施例５の再結像光学系を用いたときの収差図。
【図３５】実施例にかかる撮像システムの構成を示す図である。
【発明を実施するための形態】
【００１１】
図３５（Ａ）、図３５（Ｂ）は、実施例にかかるコンバータ装置を有する撮像システムの構成を示す図である。当該撮像システムは、撮像装置１００と撮像装置１００に対して着脱可能な交換レンズ２００と、撮像装置１００と交換レンズ２００との間に装着可能なコンバータ装置３００とを有する。交換レンズ２００は主光学系ＭＬを有し、コンバータ装置３００は、主光学系ＭＬによって形成された１次像を撮像装置１００内の像面に再結像する光学系としての再結像光学系ＣＬを有する。
【００１２】
図３５（Ａ）は、コンバータ装置３００を介さずに交換レンズ２００を撮像装置１００に装着した場合の構成を示している。また、図３５（Ｂ）は、コンバータ装置３００を介して交換レンズ２００を撮像装置１００に装着した場合を示している。
【００１３】
この撮像システムでは、コンバータ装置３００を装着有無に関わらず撮像装置１００は撮影可能である。交換レンズ２００の主光学系ＭＬによって形成される１次像を再結像させるように再結像光学系ＣＬを構成することで、コンバータ装置３００を小型化に構成することができる。
【００１４】
また、コンバータ装置３００はスイッチ、ダイヤル、ボタン等の操作部材３０１を有する。操作部材３０１は、ユーザが像面湾曲収差量の調整方向および調整量を指示するために用いられる。
【００１５】
また、コンバータ装置３００は、移動可能な像面湾曲調整群ＶＬ（移動群）と、ＣＰＵを含む制御部３０２を有する。像面湾曲調整群ＶＬは、移動によって、像面湾曲収差を他の収差成分に比べて大きく変動させることが可能なレンズ群である。
【００１６】
ユーザにより操作部材３０１が操作されると、その操作方向および操作量が制御部３０２に出力される。そして、制御部３０２は、操作部材３０１の操作量に応じた、像面湾曲調整群ＶＬの移動方向および移動量を決定し、像面湾曲調整群ＶＬを移動させるための不図示のアクチュエータを制御する。このように、操作部材３０１の操作に応じて制御部３０２が像面湾曲調整群ＶＬを移動させることによって、撮像装置で撮像される像の画面周辺のピントを任意に調整することが可能となる。
【００１７】
以下、このような撮影表現を実現するために好ましい、実施例に係る再結像光学系ＣＬについて、添付の図面に基づいて詳細に説明する。
【００１８】
図１、３、５は主光学系ＭＬの断面図であり、図７、１３、１９、２５、３１は再結像光学系ＣＬの断面図である。図９は実施例Ａの主光学系ＭＬの像側に実施例１の再結像光学系ＣＬを配置した時の断面図であり、図１５は実施例Ｂの主光学系ＭＬの像側に実施例２の再結像光学系ＣＬを配置したときの断面図であり、図２１は実施例Ｂの主光学系ＭＬの像側に実施例３の再結像光学系ＣＬを配置したときの断面図である。図２７は実施例Ｂの主光学系ＭＬの像側に実施例４の再結像光学系ＣＬを配置したときの断面図であり、図３３は実施例Ｃの主光学系ＭＬの像側に実施例５の再結像光学系ＣＬを配置したときの断面図である。各断面図において、左方が物体側（前方）であり、右方が像側（後方）である。また各断面図において、ｉを物体側から像側へのレンズ群の順番とすると、Ｌｉは第ｉレンズ群を示す。ＣＧは物体側および像側が平面の光学部材である。
【００１９】
本明細書において、主光学系ＭＬがズームレンズの場合の「レンズ群」は、ズーミングに際して変化するレンズ同士の間隔を境に分けられた群とする。再結像光学系ＣＬの場合の「レンズ群」は、像面湾曲調整に際して変化する、レンズ同士の間隔を境に分けられた群とする。また、「レンズ群」は、複数のレンズから構成されていてもよいし、１枚のレンズから構成されていてもよい。
【００２０】
開口絞りＳＰは開放Ｆナンバー（Ｆｎｏ）の光束を決定（制限）する。ＡＰはフレアーカット絞りであり、不要光をカットする。
【００２１】
１次像の結像面を１次結像面ＩＰ１とし、２次像の結像面を２次結像面ＩＰ２とする。主光学系ＭＬと撮像装置１００との間に、再結像光学系ＣＬが配置された場合であって、撮像装置１００がデジタルビデオカメラやデジタルカメラなどである場合は、２次結像面ＩＰ２は、ＣＣＤセンサまたはＣＭＯＳセンサ等の撮像素子（光電変換素子）の撮像面に相当する。主光学系ＭＬと撮像装置１００との間に、再結像光学系ＣＬが配置された場合であって、撮像装置１００が銀塩フィルムカメラである場合は、２次結像面ＩＰ２はフィルム面に相当する。主光学系ＭＬと撮像装置１００との間に再結像光学系ＣＬが配置されない場合は、２次結像面ＩＰ２の代わりに１次結像面ＩＰ１が相当する撮像面やフィルム面に相当する。
【００２２】
図２、４、６は主光学系ＭＬの収差図であり、図８、１４、２０、２６、３２後述の各実施例の再結像光学系ＣＬの収差図である。図１０〜１２は実施例Ａの主光学系ＭＬの像側に実施例１の再結像光学系ＣＬを配置したときの収差図であり、図１６〜１８は実施例Ｂの主光学系ＭＬの像側に実施例２の再結像光学系ＣＬを配置したときの収差図であり、図２２〜２４は実施例Ｂの主光学系ＭＬの像側に実施例３の再結像光学系を配置したときの収差図である。図２８〜３０は実施例Ｂの主光学系ＭＬの像側に実施例４の再結像光学系ＣＬを配置したときの収差図であり、図３４は実施例Ｃの主光学系ＭＬの像側に実施例５の再結像光学系ＣＬを配置したときの収差図である。球面収差図において、実線はｄ線、二点鎖線はｇ線を示している。非点収差図において破線ΔＭはメリディオナル像面、実線ΔＳはサジタル像面である。歪曲収差はｄ線について示している。倍率色収差はｇ線について示している。ωは半画角（度）、ＦｎｏはＦナンバーである。
【００２３】
本発明の実施例に係る再結像光学系ＣＬは、例えば、コンバータ装置３００に含まれ、主光学系ＭＬによって形成された１次像を２次像として像面に再結像する光学系である。また、再結像光学系ＣＬは、像中心の結像性能を維持したまま、周辺のピントを意図的に調整できるようにするために、光軸に沿って移動可能な像面湾曲調整群ＶＬを有する。
【００２４】
特に、画面中心での光学性能を決める主要因である球面収差の量の増大を抑制しつつ、像面湾曲収差を独立して調整可能とする必要がある。像面湾曲収差は軸外光束に起因して生じるものであるため、軸上光束と軸外光束が光軸直交方向に比較的大きく分離している位置に像面湾曲調整群ＶＬを配置することで、像面湾曲調整群ＶＬの移動に際して像面湾曲収差を球面収差等に比べて大きく変動させることが可能となる。
【００２５】
そこで、本実施例では、通常撮影時における、１次結像面ＩＰ１から像面湾曲調整群ＶＬ（移動群）の最も物体側の面までの距離および通常撮影時における像面湾曲調整群ＶＬの最も像側の面から像面までの距離のうち小さいほうをＤｍ、再結像光学系ＣＬのレンズ全長をＴＴＤとするとき、
｜Ｄｍ｜／ＴＴＤ＜０．４０  ・・・（１）
なる条件式を満たすことを特徴とする。
【００２６】
ここで、「通常撮影時」とは像面湾曲収差の収差量が最小となるときのことを意味している。
【００２７】
レンズ全長ＴＴＤは、１次結像面ＩＰ１から再結像光学系ＣＬの最も物体側のレンズ面までの光軸上の空気換算距離と、再結像光学系ＣＬの最も物体側のレンズ面から最も像側のレンズ面までの光軸上の距離と、再結像光学系ＣＬの最も像側のレンズ面から２次結像面ＩＰ２までの光軸上の空気換算距離とを足した長さである。
【００２８】
条件式（１）は、像面湾曲調整群ＶＬが、１次結像面ＩＰ１または２次結像面ＩＰ２に比較的近い位置に配置されることを示している。
【００２９】
条件式（１）の上限値を上回って、像面湾曲調整群ＶＬの位置が１次結像面ＩＰ１または２次結像面ＩＰ２から遠ざかると、軸上光束と軸外光束が光軸直交方向に十分に分離していない位置に像面湾曲調整群ＶＬが配置されることになる。このため、像面湾曲調整群ＶＬの移動による像面湾曲調整に際して球面収差の変動量が大きくなり、他の収差成分に比べて像面湾曲収差を独立して調整することが困難になるため好ましくない。または、条件式（１）の上限値を上回って再結像光学系ＣＬのレンズ全長が短くなり、再結像光学系ＣＬの屈折力が強くなると、球面収差などが悪化して、画面中心から周辺にわたって高い光学性能を備えることが困難となり好ましくない。
【００３０】
このように、条件式（１）を満たすことによって、ユーザの好みに応じて像面湾曲収差を調整することが可能になる。特に、再結像光学系ＣＬがコンバータ装置３００に備わっている場合は、全系の焦点距離変更などのコンバータ装置３００の本来の機能を維持しつつ、像面湾曲収差の調整という表現拡大機能を備えることができる。また、特に、再結像光学系ＣＬがコンバータ装置３００に備わっている場合は、このコンバータ装置３００を１つ有するだけで、様々な種類の交換レンズ２００に対して像面湾曲収差の調整機能を付与することが可能となる。
【００３１】
なお条件式（１）の数値範囲を以下のようにすることが好ましい。
｜Ｄｍ｜／ＴＴＤ＜０．３０  ・・・（１ａ）
【００３２】
さらに、条件式（１）の数値範囲を以下のようにすることが好ましい。
｜Ｄｍ｜／ＴＴＤ＜０．２０  ・・・（１ｂ）
【００３３】
なお、像面湾曲調整群ＶＬが、再結像光学系ＣＬに含まれる屈折力を有するレンズのうち、最も物体側のレンズ、当該最も物体側のレンズの像側に隣接して配置されたレンズ、最も像側のレンズ、当該最も像側のレンズの物体側に隣接して配置されたレンズのいずれかを含む場合も、条件式（１）を満たす場合とほぼ同様の効果を得ることができる。
【００３４】
さらに、再結像光学系ＣＬが次の条件式（２）〜（９）のうち少なくとも１つを満足することが好ましい。
０．５０＜｜Ｈｂｉ／Ｈｇｉ｜＜２．００         ・・・（２）
０．０１＜｜（１−βｍ２）βｒ２｜＜１．５０    ・・・（３）
０．１０＜｜ｆｍ／ｆ｜＜５０                   ・・・（４）
−１０．０＜βｃ＜−０．４５                   ・・・（５）
−１０．０＜ＰＩ／ｆ＜−１．００               ・・・（６）
−１０．０＜ＰＯ／ｆ＜−０．１０               ・・・（７）
−０．３０＜Ｄｉ／ＴＴＤ＜０．３０             ・・・（８）
０．０１＜ｓｋｄ／ｆ＜１．００                 ・・・（９）
【００３５】
ただし、通常撮影時における像面湾曲調整群ＶＬの最も物体側の面に入射する最軸外光束の主光線の高さをＨｂｉ、通常撮影時における１次像の最大像高をＨｇｉとする。通常撮影時における像面湾曲調整群ＶＬの横倍率をβｍとする。像面湾曲調整群ＶＬより像側に配置される全てのレンズの通常撮影時における合成横倍率をβｒとする。通常撮影時における像面湾曲調整群ＶＬの焦点距離をｆｍ、通常撮影時における再結像光学系ＣＬの焦点距離をｆとする。通常撮影時における再結像光学系ＣＬの横倍率をβｃとする。
【００３６】
通常撮影時における１次結像面ＩＰ１から再結像光学系ＣＬの入射瞳位置までの光軸上の距離をＰＩとする。ここで、入射瞳位置とは入射瞳の光軸上の位置のことをいう。ＰＩの符号は、１次結像面ＩＰ１よりも入射瞳位置が像側にあるときを正、１次結像面ＩＰ１よりも入射位置が物体側にあるときを負とする。通常撮影時における２次結像面ＩＰ２から再結像光学系ＣＬの射出瞳位置までの光軸上の距離をＰＯとする。ここで、射出瞳位置とは射出瞳の光軸上の位置のことをいう。ＰＯの符号は、２次結像面ＩＰ２よりも射出瞳位置が像側にあるときを正、２次結像面ＩＰ２よりも射出瞳位置が物体側にあるときを負とする。
【００３７】
通常撮影時における１次結像面ＩＰ１から、再結像光学系ＣＬの最も物体側の面までの光軸上の距離をＤｉとする。ここでＤｉの符号は、再結像光学系ＣＬの最も物体側の面が１次結像面ＩＰ１よりも像側にあるときを正、再結像光学系ＣＬの最も物体側の面が１次結像面ＩＰ１よりも物体側にあるときを負とする。距離Ｄｉは空気換算距離である。通常撮影時における再結像光学系ＣＬの最も物体側の面から像面までの光軸上の空気換算距離をｓｋｄとする。
【００３８】
条件式（２）は光軸中心における結像性能の劣化を抑制したまま、画面周辺の結像性能を意図的に操作するために、像面湾曲調整群ＶＬの最も物体側の面に入る最軸外光束の主光線の高さＨｂｉと１次結像面ＩＰ１における最大像高Ｈｇｉの割合を規定している。条件式（２）の上限値を上回って、像面湾曲調整群ＶＬに入射する最軸外光束の主光線の高さＨｂｉが大きくなる、または１次結像面ＩＰ１における最大像高Ｈｇｉが小さくなると、再結像光学系ＣＬの外径が主光学系ＭＬの外径に対して大きくなり、再結像光学系ＣＬが大型になるため好ましくない。条件式（２）の下限値を下回って、像面湾曲調整群ＶＬに入射する最軸外光束の主光線の高さＨｂｉが小さくなる、または１次結像面ＩＰ１における最大像高Ｈｇｉが大きくなると、像面湾曲調整に際して球面収差の変動量が大きくなり、他の収差成分に比べて像面湾曲収差を独立して調整することが困難になるため好ましくない。
【００３９】
条件式（３）は像面湾曲調整群ＶＬと像面湾曲調整群ＶＬの像側に配置されるレンズの横倍率の関係を規定している。すなわち、条件式（３）は像面湾曲調整群ＶＬの単位移動量あたりの像面湾曲の変動量を示す敏感度である。条件式（３）の上限値を上回ると、単位移動量あたりの像面湾曲収差の変動量が大きくなり、像面湾曲収差の微調整が困難になる。したがって、操作性の観点から好ましくない。さらに、発生したピントズレを補正するために、主光学系ＭＬに含まれるフォーカシングに際して移動する部分群を移動させる必要があるため好ましくない。条件式（３）の下限値を下回ると、像面湾曲収差の量を十分に調整するために必要な像面湾曲調整群ＶＬの移動量が長くなり、再結像光学系ＣＬが大型化するため好ましくない。移動量に制限がある場合は、本件の目的である像面湾曲調整効果を十分に得ることが困難になるため好ましくない。
【００４０】
条件式（４）は像面湾曲調整群ＶＬの焦点距離ｆｍと再結像光学系ＣＬの焦点距離ｆを規定している。条件式（４）の上限値を上回って、像面湾曲調整群ＶＬの焦点距離が長くなって像面湾曲調整群ＶＬの屈折力が弱くなると、像面湾曲収差の量を十分に調整するために必要な像面湾曲調整群ＶＬの移動量が長くなり、再結像光学系ＣＬが大型化するため好ましくない。条件式（４）の上限値を上回って、再結像光学系ＣＬの焦点距離が短くなって、再結像光学系ＣＬの屈折力が強くなると、像面湾曲以外の諸収差が大きくなる。これを補正するためには補正用のレンズを追加する必要があり、再結像光学系ＣＬが大型化するため好ましくない。条件式（４）の下限値を下回って、像面湾曲調整群ＶＬの焦点距離が短くなり屈折力が強くなると、単位移動量あたりの像面湾曲収差の変動量が大きくなる。これにより、像面湾曲収差の微調整が困難になるため、操作性の観点から好ましくない。また、像面湾曲収差調整群ＶＬの屈折力が強くなると、像面湾曲収差だけでなく、コマ収差や色収差も大きくなるため、再結像光学系ＣＬにおける光学性能が低下するため好ましくない。また、条件式（４）の下限値を下回って、再結像光学系ＣＬの焦点距離が長くなり再結像光学系ＣＬの屈折力が弱くなると、再結像光学系ＣＬのレンズ全長が長くなるため好ましくない。
【００４１】
条件式（５）は再結像光学系ＣＬの横倍率βｃを規定している。再結像光学系ＣＬにより１次像が反転されて、結像面に２次像として再結像されるため横倍率が負の値となる。条件式（５）の上限値を上回って再結像光学系ＣＬの横倍率βｃの絶対値が小さくなると、再結像光学系ＣＬを有するコンバータ装置を交換レンズ２００と撮像装置１００との間に装着したときに軸外光束のケラレが発生するか、当該ケラレを回避するために主光学系ＭＬの外径が大型化するため好ましくない。条件式（５）の下限値を下回って再結像光学系ＣＬの横倍率βｃの絶対値が大きくなると、再結像光学系ＣＬにおいて生じる軸上色収差の補正が困難になるため好ましくない。
【００４２】
また、後述する実施例１乃至３及び実施例５のように、横倍率（撮影倍率）の絶対値が１より大きくなるように再結像光学系ＣＬを構成すると、コンバータ装置３００の未装着時における交換レンズ２００の大型化を招くことなく、コンバータ装置３００の装着時の軸外光束のケラレにくくすることができる。また、撮影機能（像面湾曲可変機能）の拡張だけでなく、像の大きさを拡大することもできる。
【００４３】
条件式（６）は再結像光学系ＣＬが主光学系ＭＬからの光線を適切に取り込むために、１次結像面ＩＰ１から再結像光学系ＣＬの入射瞳位置までの光軸上の距離ＰＩと再結像光学系の焦点距離ｆの関係を規定している。条件式（６）の上限値を上回って、距離ＰＩが短くなると、再結像光学系ＣＬに入射する軸外光束の最大入射角度が大きくなり、１次結像面ＩＰ１近傍のレンズの外径が大きくなるため好ましくない。また像面湾曲調整群ＶＬの移動に際しての像面湾曲収差に対する位置敏感度も高くなって、像面湾曲収差の微調整が困難になるため好ましくない。さらに、像面湾曲調整群ＶＬの移動に際して、主光学系ＭＬから射出された軸外光束がケラレやすくなるため好ましくない。また、条件式（６）の上限値を上回って再結像光学系ＣＬの焦点距離が長くなることで、再結像光学系ＣＬのレンズ全長が長くなり、コンバータ装置３００が大型化するため好ましくない。条件式（６）の下限値を下回って、距離ＰＩが長くなると、交換レンズ２００の主光学系ＭＬが長い射出瞳を持つ光学系に限定されてしまう。そのため、様々な交換レンズに適用可能なコンバータ装置３００を得ることが困難になり、汎用性の観点から好ましくない。また、条件式（６）の下限値を下回って再結像光学系ＣＬの焦点距離が短くなり、再結像光学系ＣＬの屈折力が強くなると、像面湾曲収差以外の収差が大きくなる。よって、当該収差の補正が困難になるか、補正のためにレンズ枚数が多くなるため好ましくない。
【００４４】
条件式（７）は再結像光学系ＣＬの射出瞳位置ＰＯと再結像光学系の焦点距離の関係を規定した式である。条件式（７）の上限値を上回って、距離ＰＯの長さが短くなると、２次結像面ＩＰ２近傍に配置されるレンズの屈折力が強くなる。そのため、通常撮影時において像面湾曲収差を低減させることが困難になるため好ましくない。また、条件式（７）の上限値を上回って再結像光学系ＣＬの焦点距離が長くなって、再結像光学系ＣＬの屈折力が弱くなると、再結像光学系ＣＬのレンズ全長が長くなりコンバータ装置３００が大型化するため好ましくない。条件式（７）の下限値を下回って距離ＰＯの長さが長くなると、２次結像面ＩＰ２への最大入射角が大きくなりすぎてシェーディングが生じやすくなるため好ましくない。また、条件式（７）の下限値を下回って再結像光学系ＣＬの焦点距離が短くなり、再結像光学系ＣＬの屈折力が強くなると、球面収差等の諸収差が大きくなり、補正が困難になるため好ましくない。  条件式（８）は主光学系ＭＬから射出される軸外光束を再結像光学系ＣＬに適切に伝播させるために、１次結像面ＩＰ１から再結像光学系ＣＬの第１レンズの物体側像側面までの距離Ｄｉと再結像光学系ＣＬのレンズ全長ＴＴＤを規定した条件式である。条件式（８）の上限値を上回って距離Ｄｉが大きくなり、１次結像面ＩＰ１の像側に再結像光学系ＣＬの最も物体側の面が離れると、再結像光学系ＣＬのレンズ全長が長くなって、再結像光学系ＣＬが大型化するため好ましくない。１次結像面ＩＰ１の像側に再結像光学系ＣＬの最も物体側の面が離れても再結像光学系ＣＬのレンズ全長の伸長を抑制する場合、再結像光学系ＣＬの屈折力を強くすることが必要になり、球面収差等の諸収差が大きくなるため好ましくない。条件式（８）の下限値を下回って距離Ｄｉが小さくなると、主光学系ＭＬのバックフォーカスの範囲に再結像光学系ＣＬが入り込む構成となる。このため、交換レンズ２００とコンバータ装置３００との接続部分のメカレイアウトが困難となるため好ましくない。または、条件式（８）の下限値を下回って距離Ｄｉが小さくなると、再結像光学系ＣＬのレンズ全長が長くなって、コンバータ装置３００が大型化するため好ましくない。
【００４５】
条件式（９）は再結像光学系ＣＬの最も物体側の面から２次結像面ＩＰ２でもある像面までの光軸上の距離（以下、バックフォーカスという）と再結像光学系ＣＬの焦点距離を規定している。
【００４６】
条件式（９）の上限値を上回って、再結像光学系ＣＬのバックフォーカスｓｋｄが長くなると、再結像光学系ＣＬのレンズ全長が長くなってコンバータ装置３００が大型化するため好ましくない。また、条件式（９）の上限値を上回って、再結像光学系ＣＬの焦点距離が短くなり、再結像光学系ＣＬの屈折力が強くなると、球面収差等の諸収差が大きくなって、バックフォーカスの範囲内に配置可能なレンズ枚数で当該諸収差の補正をすることが困難になるため好ましくない。条件式（９）の下限値を下回って、再結像光学系ＣＬのバックフォーカスが短くなると、コンバータ装置３００と撮像装置１００の接続部に関わるメカレイアウトが困難になるため好ましくない。また、条件式（９）の下限値を下回って、再結像光学系ＣＬの焦点距離が長くなって再結像光学系ＣＬの屈折力が弱くなると、再結像光学系ＣＬのレンズ全長が長くなるため好ましくない。
【００４７】
さらに、条件式（２）〜（９）の数値範囲を以下のようにすることが好ましい。
０．５５＜｜Ｈｂｉ／Ｈｇｉ｜＜１．５０        ・・・（２ａ）
０．０２＜｜（１−βｍ２）βｒ２｜＜１．００   ・・・（３ａ）
０．２０＜｜ｆｍ／ｆ｜＜４０                  ・・・（４ａ）
−５．０＜βｃ＜−０．５０                    ・・・（５ａ）
−８．００＜ＰＩ／ｆ＜−１．２５              ・・・（６ａ）
−５．００＜ＰＯ／ｆ＜−０．２５              ・・・（７ａ）
−０．２０＜Ｄｉ／ＴＴＤ＜０．２０            ・・・（８ａ）
０．０５＜ｓｋｄ／ｆ＜０．８０                ・・・（９ａ）
【００４８】
さらに、条件式（２）〜（９）の数値範囲を以下のようにすることが好ましい。
０．６０＜｜Ｈｂｉ／Ｈｇｉ｜＜１．３５        ・・・（２ｂ）
０．０３＜｜（１−βｍ２）βｒ２｜＜２，１０   ・・・（３ｂ）
０．４０＜｜ｆｍ／ｆ｜＜３０                  ・・・（４ｂ）
−３．０＜βｃ＜−０．６０                    ・・・（５ｂ）
−５．００＜ＰＩ／ｆ＜−１．５０              ・・・（６ｂ）
−３．５０＜ＰＯ／ｆ＜−０．３５              ・・・（７ｂ）
−０．１５＜Ｄｉ／ＴＴＤ＜０．１６            ・・・（８ｂ）
０．１０＜ｓｋｄ／ｆ＜０．６０                ・・・（９ｂ）
【００４９】
このように上記条件式の少なくとも１つを満たすことで、最光学系ＣＬの小型化、像面湾曲収差以外の収差の補正の容易性の少なくとも１つを確保できる。
【００５０】
本実施例にかかる再結像光学系ＣＬにおいて、像面湾曲調整群ＶＬは、再結像光学系ＣＬに含まれる屈折力を有するレンズのうち最も物体側に配置されたレンズを含むことが好ましい。再結像光学系ＣＬ最も物体側に配置されたレンズは、軸上光束と軸外光束が光軸直交方向に分離した位置に配置されることが多く、他の収差に比べて像面湾曲収差を大きく変化させることが容易となる。
【００５１】
さらに、像面湾曲調整群ＶＬは正の屈折力を有することが好ましい。これにより、再結像光学系ＣＬの１次結像面ＩＰ１側または２次結像面ＩＰ２側の正の屈折力を強めることが容易となり、再結像光学系ＣＬの径を小型化でき、コンバータ装置３００の鏡筒系を小型化することができる。
【００５２】
次に、実施例の主光学系ＭＬと、実施例の再結像光学系ＣＬについて説明する。
【００５３】
［主光学系の実施例］
まず、再結像光学系ＣＬの物体側に配置される主光学系ＭＬの実施例Ａ〜Ｃについて説明する。
【００５４】
（実施例Ａ）
図１は、実施例Ａの主光学系ＭＬの広角端における断面図である。図２（Ａ）、図２（Ｂ）は、実施例Ｂの主光学系ＭＬの広角端と望遠端における物体距離無限遠の収差図である。実施例Ａの主光学系ＭＬは、物体側から像側へ順に配置された、正の屈折力の第１レンズ群、負の屈折力の第２レンズ群、正の屈折力の第３レンズ群、正の屈折力の第４レンズ群を有する、ズーム比２．３５、Ｆナンバー２．０６のズームレンズである。
【００５５】
（実施例Ｂ）
図３は、実施例Ｂの主光学系ＭＬの広角端における断面図である。図４（Ａ）、図４（Ｂ）は、実施例Ｂの主光学系ＭＬの広角端と望遠端における物体距離無限遠の収差図である。実施例Ｂの主光学系ＭＬは、物体側から像側へ順に配置された、正の屈折力の第１レンズ群、負の屈折力の第２レンズ群、正の屈折力の第３レンズ群、正の屈折力の第４レンズ群を有する、ズーム比２．７５、Ｆナンバー２．９１のズームレンズである。
【００５６】
（実施例Ｃ）
図５は、実施例Ｃの主光学系ＭＬの広角端における断面図である。図６は、実施例Ｃの主光学系ＭＬの収差図である。実施例Ｃの主光学系ＭＬは、焦点距離３９ｍｍ、Ｆナンバー２．８６の単焦点レンズである。
【００５７】
［再結像光学系の実施例］
次に実施例１〜５の再結像光学系ＣＬについて説明する。実施例毎に、前述の主光学系ＭＬのいずれかを用いた場合の断面図および収差図も示している。
【００５８】
［実施例１］
図７は、実施例１の再結像光学系ＣＬの断面図である。
【００５９】
図８（Ａ）、図８（Ｂ）、図８（Ｃ）は、それぞれ、実施例１の再結像光学系ＣＬの、通常撮影時の収差図、像面湾曲収差をオーバー側に設定したときの収差図、像面湾曲収差をアンダー側に設定したときの収差図である。  図９は、実施例Ａの主光学系ＭＬの像側に実施例１の再結像光学系ＣＬを配置したときの広角端における断面図である。
【００６０】
図１０（Ａ）、図１０（Ｂ）は、それぞれ、実施例Ａの主光学系ＭＬの像側に実施例１の再結像光学系ＣＬを配置したときの、通常撮影時の、広角端と望遠端における収差図である。図１１（Ａ）、図１１（Ｂ）は、それぞれ、実施例Ａの主光学系ＭＬの像側に実施例１の再結像光学系ＣＬを配置したときの、像面湾曲収差オーバー側設定時の、広角端と望遠端における収差図である。図１２（Ａ）、図１２（Ｂ）は、それぞれ、実施例Ａの主光学系ＭＬの像側に実施例１の再結像光学系ＣＬを配置したときの、像面湾曲収差アンダー側設定時の、広角端と望遠端における収差図である。
【００６１】
実施例１の再結像光学系ＣＬにおいて、像面湾曲調整群ＶＬは、再結像光学系ＣＬの最も物体側の正レンズと該正レンズの像側に隣接して配置された負レンズからなる。像面湾曲調整群ＶＬが、通常撮影時の位置から光軸方向に沿って２次結像面ＩＰ２に向かって移動することで像面湾曲収差がオーバーになり、通常撮影時の位置から光軸方向に沿って１次結像面ＩＰ１に向かって移動することで像面湾曲収差がアンダーになる。
【００６２】
実施例１の再結像光学系ＣＬにおいて、通常撮影時の再結像光学系ＣＬの最も物体側の面の位置は、１次結像面ＩＰ１から２次結像面ＩＰ２側に３ｍｍ離れた位置である。実施例１の再結像光学系ＣＬは、横倍率（撮影倍率）−２．０倍、Ｆナンバー４．１２である。
【００６３】
［実施例２］
図１３は、実施例２の再結像光学系ＣＬの断面図である。
【００６４】
図１４（Ａ）、図１４（Ｂ）、図１４（Ｃ）は、それぞれ、実施例２の再結像光学系ＣＬの、通常撮影時の収差図、像面湾曲収差をオーバー側に設定したときの収差図、像面湾曲収差をアンダー側に設定したときの収差図である。
【００６５】
図１５は、実施例Ｂの主光学系ＭＬの像側に実施例２の再結像光学系ＣＬを配置したときの広角端における断面図である。
【００６６】
図１６（Ａ）、図１６（Ｂ）は、それぞれ、実施例Ｂの主光学系ＭＬの像側に実施例２の再結像光学系ＣＬを配置したときの、通常撮影時の、広角端と望遠端における収差図である。
【００６７】
図１７（Ａ）、図１７（Ｂ）は、それぞれ、実施例Ｂの主光学系ＭＬの像側に実施例２の再結像光学系ＣＬを配置したときの、像面湾曲収差オーバー側設定時の、広角端と望遠端における収差図である。
【００６８】
図１８（Ａ）、図１８（Ｂ）は、それぞれ、実施例Ｂの主光学系ＭＬの像側に実施例２の再結像光学系ＣＬを配置したときの、像面湾曲収差アンダー側設定時の、広角端と望遠端における収差図である。
【００６９】
実施例２の再結像光学系ＣＬにおいて、像面湾曲調整群ＶＬは、再結像光学系ＣＬの最も物体側に配置された１枚の正レンズからなる。当該正レンズは、１次結像面ＩＰ１に最も近い位置に配置されている。像面湾曲調整群ＶＬが、通常撮影時の位置から光軸方向に沿って２次結像面ＩＰ２に向かって移動することで像面湾曲収差がオーバーになり、通常撮影時の位置から光軸方向に沿って１次結像面ＩＰ１に向かって移動することで像面湾曲収差がアンダーになる。
【００７０】
実施例２の再結像光学系ＣＬにおいて、通常撮影時の再結像光学系ＣＬの最も物体側の面の位置は、１次結像面ＩＰ１から２次結像面ＩＰ２側に１６．７２ｍｍ離れた位置である。実施例２の再結像光学系ＣＬは、横倍率（撮影倍率）−２．０倍、Ｆナンバー５．６５である。
【００７１】
［実施例３］
図１９は、実施例３の再結像光学系ＣＬの断面図である。
【００７２】
図２０（Ａ）、図２０（Ｂ）、図２０（Ｃ）は、それぞれ、実施例３の再結像光学系ＣＬの、通常撮影時の収差図、像面湾曲収差をオーバー側に設定したときの収差図、像面湾曲収差をアンダー側に設定したときの収差図である。
【００７３】
図２１は、実施例Ｂの主光学系ＭＬの像側に実施例３の再結像光学系ＣＬを配置したときの広角端における断面図である。
【００７４】
図２２（Ａ）、図１６（Ｂ）は、それぞれ、実施例Ｂの主光学系ＭＬの像側に実施例３の再結像光学系ＣＬを配置したときの、通常撮影時の、広角端と望遠端における収差図である。図２３（Ａ）、図２３（Ｂ）は、それぞれ、実施例Ｂの主光学系ＭＬの像側に実施例３の再結像光学系ＣＬを配置したときの、像面湾曲収差オーバー側設定時の、広角端と望遠端における収差図である。図２４（Ａ）、図２４（Ｂ）は、それぞれ、実施例Ｂの主光学系ＭＬの像側に実施例３の再結像光学系ＣＬを配置したときの、像面湾曲収差アンダー側設定時の、広角端と望遠端における収差図である。
【００７５】
実施例３の再結像光学系ＣＬにおいて、像面湾曲調整群ＶＬは、再結像光学系ＣＬの最も像側に配置された１枚の正レンズからなる。当該正レンズは、２次結像面ＩＰ２に最も近い位置に配置されている。像面湾曲調整群ＶＬが、通常撮影時の位置から光軸方向に沿って１次結像面ＩＰ１に向かって移動することで像面湾曲収差がオーバーになり、通常撮影時の位置から光軸方向に沿って２次結像面ＩＰ２に向かって移動することで像面湾曲収差がアンダーになる。
【００７６】
実施例３の再結像光学系ＣＬにおいて、通常撮影時の再結像光学系ＣＬの最も物体側の面の位置は、１次結像面ＩＰ１から２次結像面ＩＰ２側に４．０３ｍｍ離れた位置である。実施例３の再結像光学系ＣＬは、横倍率（撮影倍率）−１．０倍、Ｆナンバー５．６５である。横倍率（撮影倍率）が−１．０倍なので、像の大きさを主光学系ＭＬによって形成される像と揃えることができ、ユーザーが主光学系ＭＬを有する交換レンズ２００のみを用いた場合の画角を維持しながら、像面湾曲収差量を変更することができる。
【００７７】
［実施例４］
図２５は、実施例４の再結像光学系ＣＬの断面図である。
【００７８】
図２６（Ａ）、図２６（Ｂ）、図２６（Ｃ）は、それぞれ、実施例４の再結像光学系ＣＬの、通常撮影時の収差図、像面湾曲収差をオーバー側に設定したときの収差図、像面湾曲収差をアンダー側に設定したときの収差図である。
【００７９】
図２７は、実施例Ｂの主光学系ＭＬの像側に実施例４の再結像光学系ＣＬを配置したときの広角端における断面図である。
【００８０】
図２８（Ａ）、図２８（Ｂ）は、それぞれ、実施例Ｂの主光学系ＭＬの像側に実施例４の再結像光学系ＣＬを配置したときの、通常撮影時の、広角端と望遠端における収差図である。図２９（Ａ）、図２９（Ｂ）は、それぞれ、実施例Ｂの主光学系ＭＬの像側に実施例４の再結像光学系ＣＬを配置したときの、像面湾曲収差オーバー側設定時の、広角端と望遠端における収差図である。図３０（Ａ）、図３０（Ｂ）は、それぞれ、実施例Ｂの主光学系ＭＬの像側に実施例４の再結像光学系ＣＬを配置したときの、像面湾曲収差アンダー側設定時の、広角端と望遠端における収差図である。
【００８１】
実施例４の再結像光学系ＣＬにおいて、像面湾曲調整群ＶＬは、再結像光学系ＣＬの最も物体側に配置された１枚の正レンズからなる。当該正レンズは、１次結像面ＩＰ１に最も近い位置に配置されている。像面湾曲調整群ＶＬが、通常撮影時の位置から光軸方向に沿って１次結像面ＩＰ１に向かって移動することで像面湾曲収差がアンダーになり、通常撮影時の位置から光軸方向に沿って２次結像面ＩＰ１に向かって移動することで像面湾曲収差がオーバーになる。
【００８２】
実施例４の再結像光学系ＣＬにおいて、通常撮影時の再結像光学系ＣＬの最も物体側の面の位置は、１次結像面ＩＰ１から２次結像面ＩＰ２側に３．００ｍｍ離れた位置である。実施例４の再結像光学系ＣＬは、横倍率（撮影倍率）−０．６３倍、Ｆナンバー５．６５である。
【００８３】
［実施例５］
図３１は、実施例４の再結像光学系ＣＬの断面図である。
【００８４】
図３２（Ａ）、図３２（Ｂ）、図３２（Ｃ）は、それぞれ、実施例５の再結像光学系ＣＬの、通常撮影時の収差図、像面湾曲収差をオーバー側に設定したときの収差図、像面湾曲収差をアンダー側に設定したときの収差図である。
【００８５】
図３３は、実施例Ｃの主光学系ＭＬの像側に実施例５の再結像光学系ＣＬを配置したときの断面図である。
【００８６】
図３４（Ａ）、図３４（Ｂ）は、それぞれ、実施例Ｃの主光学系ＭＬの像側に実施例５の再結像光学系ＣＬを配置したときの、像面湾曲収差オーバー側設定時の、広角端と望遠端における収差図である。
【００８７】
実施例５の再結像光学系ＣＬにおいて、像面湾曲調整群ＶＬは、再結像光学系ＣＬの最も物体側から２番目に配置された１枚の正レンズからなる。像面湾曲調整群ＶＬが、通常撮影時の位置から光軸方向に沿って１次結像面ＩＰ１に向かって移動することで像面湾曲収差がアンダーになり、通常撮影時の位置から光軸方向に沿って２次結像面ＩＰ１に向かって移動することで像面湾曲収差がオーバーになる。
【００８８】
実施例５の再結像光学系ＣＬにおいて、通常撮影時の再結像光学系ＣＬの最も物体側の面の位置は、１次結像面ＩＰ１から２次結像面ＩＰ２側に３．１４ｍｍ離れた位置である。実施例５の再結像光学系ＣＬは、横倍率（撮影倍率）−１．０倍、Ｆナンバー５．６５である。
【００８９】
［数値実施例］
前述の主光学系ＭＬの数値実施例と、実施例１〜５の再結像光学系ＣＬのそれぞれに対応する数値実施例１〜５を示す。
【００９０】
また、各数値実施例において、面番号は、物体側からの光学面の順序を示す。ｒは光学面の曲率半径（ｍｍ）、面番号ｉにおけるｄは、第ｉ番目の光学面と第ｉ＋１番目の光学面の間隔（ｍｍ）、ｎｄはｄ線における光学部材の材料の屈折率、νｄはｄ線を基準とした光学部材の材料のアッベ数である。ある材料のアッベ数νｄは、フラウンホーファ線のｄ線（５８７．５６ｎｍ）、Ｆ線（４８６．１３ｎｍ）、Ｃ線（６５６．２７ｎｍ）、ｇ線（波長４３５．８４ｎｍ）における屈折率をＮｄ、ＮＦ、ＮＣとするとき、
νｄ＝（Ｎｄ−１）／（ＮＦ−ＮＣ）
で表される。
【００９１】
ＢＦはバックフォーカスを示す。なお、主光学系ＭＬの数値実施例におけるバックフォーカスは、主光学系ＭＬの最も像側の面から主光学系ＭＬにより形成される像の結像面までの光軸上の距離を空気換算長により表記したものとする。再結像光学系ＣＬの数値実施例におけるバックフォーカスは、再結像光学系ＣＬの最も像側の面から２次結像面ＩＰ２までの光軸上の距離を空気換算長により表記したものとする。
【００９２】
主光学系ＭＬにおけるレンズ全長は、主光学系ＭＬの最も物体側の面（第１レンズ面）から主光学系ＭＬの最も像側の面（最終レンズ面）までの光軸上の距離にバックフォーカスを加えた長さである。再結像光学系ＣＬのレンズ全長（ＴＴＤ）は、前述のとおりである。
【００９３】
像高は半画角を規定する最大像高である。横倍率は、１次像と２次像の像高の比である。
【００９４】
また、光学面が非球面の場合は、面番号の右側に、＊の符号を付している。非球面形状は、Ｘを光軸方向の面頂点からの変位量、Ｈを光軸と垂直な方向の光軸からの高さ、Ｒを近軸曲率半径、Ｋを円錐定数、Ａ４、Ａ６、Ａ８、Ａ１０、Ａ１２を各次数の非球面係数とするとき、
【００９５】
【数１】
2020118807.tif 000003
【００９６】
で表している。なお、各非球面係数において「ｅ±ｘ」は「１０±ｘ」を意味する。
【００９７】
主光学系ＭＬの数値実施例において各光学面の間隔ｄが（可変）と表記されている部分は、ズーミングに際して変化する間隔であることを示している。
【００９８】
再結像光学系ＣＬの数値実施例において各光学面の間隔ｄが（可変）となっている部分は、像面湾曲調整に際して変化する間隔であることを示している。各数値実施例中に、通常撮影時、像面湾曲収差オーバー側設定時、像面湾曲収差アンダー側設定時のそれぞれの面間隔を記している。
【００９９】
その他、特に断りが無い場合、ズーム比、焦点距離、Ｆナンバー、半画角、像高、レンズ全長、ＢＦなどの値は通常撮影時の値を示している。
【０１００】
数値実施例１〜５のそれぞれにおける、前述の各条件式に用いられている物理量および前述の各条件式に対応する値を［表１］に示す。
【０１０１】
［主光学系の数値実施例］
（実施例Ａの主光学系）
単位 mm
面データ
面番号       r        d      nd         vd
1        187.418    2.20   1.80810    22.8
2         76.661    8.55   1.72916    54.7
3        335.605    0.15
4         58.970    8.05   1.77250    49.6
5        158.730  (可変)
6*       167.209    1.55   1.76902    49.3
7         20.639    9.56
8        -49.152    1.00   1.76385    48.5
9         26.487    8.15   1.85478    24.8
10        -51.463    1.45
11        -42.283    5.85   1.48749    70.2
12        -19.110    1.20   1.88300    40.8
13*       -64.186  (可変)
14(絞り)    ∞       0.30
15         55.781    5.05   1.72916    54.7
16          ∞       0.15
17         42.901    9.50   1.80400    46.6
18*       -87.269    3.80
19        -50.369    1.50   1.73800    32.3
20         24.706    7.70   1.49700    81.5
21        166.989  (可変)
22          ∞      -2.59
23         30.373    7.30   1.43875    94.7
24       -664.868    0.15
25         48.839    5.50   1.59522    67.7
26       -100.131    0.57
27         66.531    4.55   1.49700    81.5
28       -115.190    1.20   1.80610    33.3
29         51.069    3.84
30*     -1000.000    3.00   1.85400    40.4
31*       119.129    3.42
32        -39.992    1.30   1.48749    70.2
33         50.003    6.30   2.00100    29.1
34       -131.617  (可変)
35          ∞       1.96   1.51633    64.1
36          ∞     (可変)
像面        ∞
非球面データ
第6面
K = 0.00000e+000  A 4= 4.38428e-006  A 6=-2.70954e-009  A 8= 4.53124e-012
A10=-5.11345e-016  A12= 2.85627e-018
第13面
K = 0.00000e+000  A 4=-2.04866e-006  A 6=-6.82741e-010  A 8=-2.06847e-011
A10= 9.28973e-014  A12=-1.47499e-016
第18面
K = 0.00000e+000  A 4= 2.64029e-006  A 6=-2.43625e-009  A 8=-1.84031e-012
A10=-2.30946e-017  A12= 4.15861e-018
第30面
K = 0.00000e+000  A 4=-4.43289e-005  A 6=-1.56326e-008  A 8= 3.31996e-010
A10=-1.13489e-012  A12= 2.02156e-015
第31面
K = 0.00000e+000  A 4=-2.52968e-005  A 6= 2.32789e-008  A 8= 3.09529e-010
A10=-9.01793e-013  A12= 1.19241e-015
各種データ
ズーム比      2.35
広角     中間     望遠
焦点距離      28.90    50.00    67.90
Fナンバー      2.06     2.06     2.06
半画角（度）  36.82    23.40    17.67
像高          21.64    21.64    21.64
レンズ全長   157.51   170.61   179.07
BF             2.75     2.75     2.75
d 5            3.93    20.98    29.21
d13           15.61     6.51     2.27
d21            8.67     4.59     3.61
d34           15.00    24.22    29.66
d36            2.75     2.75     2.75
ズームレンズ群データ
群  始面    焦点距離
1    1     104.99
2    6     -19.17
3   14      47.05
4   22      44.67
CG   35        ∞
【０１０２】
（実施例Ｂの主光学系）
単位 mm
面データ
面番号       r        d      nd         vd
1        204.560    2.10   1.84666    23.9
2         72.156    7.40   1.77250    49.6
3        333.009    0.15
4         56.551    6.70   1.77250    49.6
5        147.768  (可変)
6*       107.703    1.60   1.88300    40.8
7         16.578    7.87
8        -46.474    1.15   1.59522    67.7
9         21.417    4.45   1.88300    40.8
10         67.901    1.27
11        129.834    3.48   1.59270    35.3
12        -49.739    1.61
13        -23.347    1.15   1.72916    54.7
14        404.189    2.69   1.84666    23.9
15        -57.801  (可変)
16          ∞       1.90
17(絞り)    ∞       0.00
18         27.563    1.45   1.88300    40.8
19         21.253   11.00   1.49700    81.5
20        -64.876    0.20
21         43.054    2.70   1.58313    59.4
22*        63.670    4.61
23        -44.565    1.40   1.72047    34.7
24       -153.891  (可変)
25         31.112    7.13   1.43875    94.9
26       -203.991    0.20
27         47.466    5.85   1.49700    81.5
28        -71.666    1.96
29*      -205.992    2.10   1.85006    40.2
30*        88.343    2.63
31       -442.074    1.40   1.83400    37.2
32         61.478    5.17   1.51633    64.1
33        -61.478  (可変)
34          ∞       1.96   1.51633    64.1
35          ∞     (可変)
像面        ∞
非球面データ
第6面
K = 0.00000e+000  A 4= 7.12736e-006  A 6=-9.11631e-009  A 8= 2.35269e-011
A10=-5.05824e-014  A12= 7.73415e-017
第22面
K = 0.00000e+000  A 4= 5.39187e-006  A 6= 5.52428e-009  A 8=-8.87533e-012
A10= 1.15050e-013  A12=-9.43064e-017
第29面
K = 0.00000e+000  A 4= 2.73309e-005  A 6=-1.56548e-007  A 8= 3.98764e-010
A10=-7.46700e-013  A12= 6.95925e-016
第30面
K = 0.00000e+000  A 4= 4.43162e-005  A 6=-1.34466e-007  A 8= 3.25418e-010
A10=-4.48417e-013  A12= 2.53228e-016
各種データ
ズーム比      2.75
広角     中間     望遠
焦点距離      24.70    34.91    67.88
Fナンバー     2.91     2.91     2.91
半画角（度）  41.22    31.79    17.68
像高          21.64    21.64    21.64
レンズ全長   154.68   162.21   186.04
BF             1.79     1.79     1.79
d 5            2.75    11.74    30.36
d15           13.71     7.72     0.23
d24            8.82     4.84     0.74
d33           35.00    43.51    60.31
d35            1.79     1.79     1.79
ズームレンズ群データ
群  始面    焦点距離
1    1     106.37
2    6     -16.39
3   16      57.88
4   25      46.04
CG   34        ∞
【０１０３】
（実施例Ｃの主光学系）
単位 mm
面データ
面番号       r        d      nd         vd
1         38.100    3.13   1.80400    46.6
2        -86.125    1.00   1.51742    52.4
3         11.970    1.40
4         14.745    2.40   1.72916    54.7
5         28.138    2.87
6(絞り)    ∞       5.48
7        -12.440    1.00   1.69895    30.1
8         77.467    3.39   1.83481    42.7
9        -19.410    0.15
10*       -41.813    3.19   1.58313    59.4
11        -15.394   35.00
12          ∞       1.96   1.51633    64.1
13          ∞     (可変)
像面        ∞
非球面データ
第10面
K = 0.00000e+000  A 4=-3.07394e-005  A 6= 3.02780e-008  A 8=-1.34249e-009
A10= 7.69227e-012
各種データ
ズーム比       1.00
焦点距離      39.00
Fナンバー     2.86
画角          29.02
像高          21.64
レンズ全長    62.50
BF             2.21
d13            2.21
レンズ群データ
1     1        39.00
CG   34        ∞
【０１０４】
［再結像光学系の数値実施例］
（数値実施例１）
単位 mm
面データ
面番号       r        d      nd         vd
1          ∞     (可変)                    ※1次結像面
2          ∞       4.10   1.85400    40.4
3*       -33.449    0.19
4        -61.897    1.25   1.49700    81.5
5         30.560  (可変)
6         46.985    7.10   2.05090    26.9
7        -36.782   15.37
8        -20.485    0.85   1.85478    24.8
9         13.732    5.62   1.72916    54.7
10        -18.674    1.00
11        -17.043    1.00   1.56732    42.8
12         12.696    4.70   1.49700    81.5
13      -1094.747    0.15
14*        27.499    5.64   1.58313    59.4
15*       -30.069    0.50
16(絞り)    ∞       7.98
17         40.599    3.30   1.92286    20.9
18        -57.620    0.15
19         16.521    6.35   1.77250    49.6
20        -27.288    1.00   1.85478    24.8
21         11.156   12.81
22        -11.499    1.20   1.77250    49.6
23       5483.287    5.33
24        172.144    6.94   1.95375    32.3
25        -41.567   13.51
像面        ∞
非球面データ
第3面
K = 0.00000e+000  A 4= 2.02638e-005  A 6=-2.12398e-007  A 8= 2.64274e-009
A10=-1.41470e-011  A12= 3.07301e-014
第14面
K = 0.00000e+000  A 4=-1.88989e-005  A 6= 2.06612e-007  A 8=-5.71987e-010
A10= 2.25515e-011  A12= 1.02091e-014
第15面
K = 0.00000e+000  A 4= 1.05246e-005  A 6= 1.08203e-007  A 8= 5.45766e-010
A10=-2.77310e-012  A12= 2.06681e-013
焦点距離      29.32
Fナンバー     4.12
半画角（度）  36.42
像高          21.64
レンズ全長    98.49
BF            13.51
横倍率        -2.00
可変間隔(通常使用時)
d 1            3.00
d 5            2.96
可変間隔(オーバーの像面湾曲収差発生時)
d 1            5.00
d 5            0.96
可変間隔(アンダーの像面湾曲収差発生時)
d 1            1.00
d 5            4.96
レンズ群データ
群  始面    焦点距離
1    2     626.21    ※像面湾曲調整群
2    6      28.37
【０１０５】
（数値実施例２）
単位 mm
面データ
面番号       r        d      nd         vd
1          ∞      (可変)                    ※1次結像面
2*       286.485    4.20   1.85400    40.4
3*       -62.450   (可変)
4         40.336    1.25   1.84692    23.8
5         32.115    6.60   2.05090    26.9
6       -205.332   15.37
7        -27.921    0.85   1.85478    24.8
8         11.063    5.62   1.72916    54.7
9        -18.232    1.00
10        -19.511    1.00   1.56732    42.8
11          9.145    4.70   1.49700    81.5
12         40.178    0.15
13*        19.260    4.76   1.58313    59.4
14*      -246.551    0.50
15(絞り)    ∞      13.08
16         48.045    3.30   1.92286    20.9
17        -45.019    0.15
18         14.753    6.35   1.77250    49.6
19        -45.707    1.00   1.85478    24.8
20         10.480   10.35
21        -12.253    1.20   1.77250    49.6
22      -1567.932    5.93
23        155.067    6.94   1.95375    32.3
24        -42.394   16.39
像面        ∞
非球面データ
第2面
K = 0.00000e+000  A 4=-1.00971e-006  A 6=-1.79522e-008
第3面
K = 0.00000e+000  A 4= 3.28277e-006  A 6=-2.30664e-008  A 8= 9.73080e-011
A10=-4.06922e-013  A12= 6.20236e-016
第13面
K = 0.00000e+000  A 4= 3.65860e-006  A 6= 1.58109e-007  A 8= 2.44995e-008
A10=-4.06642e-010  A12= 2.22209e-012
第14面
K = 0.00000e+000  A 4= 2.81052e-005  A 6= 6.05280e-008  A 8= 2.55900e-008
A10=-5.15021e-010  A12= 5.24451e-012
焦点距離      39.04
Fナンバー     5.65
半画角（度）  28.99
像高          21.64
レンズ全長    52.27
BF            16.39
横倍率        -2.00
可変間隔(通常使用時)
d 1           16.72
d 3            2.90
可変間隔(オーバーの像面湾曲収差発生時)
d 1           17.72
d 3            1.90
可変間隔(アンダーの像面湾曲収差発生時)
d 1           15.72
d 3            3.90
レンズ群データ
群  始面    焦点距離
1    2      60.37    ※調整群
2    4      38.45
【０１０６】
（数値実施例３）
単位 mm
面データ
面番号       r        d      nd         vd
1          ∞      -8.26                     ※1次結像面
2         41.678   10.18   1.85400    40.4
3*       -71.663   10.06
4        -39.311    1.25   1.49700    81.5
5        165.878    3.68   2.05090    26.9
6        -76.376   16.98
7        -15.826    0.85   1.85478    24.8
8          6.511    3.82   1.77250    49.6
9         75.163    0.49
10         11.334    1.00   1.80810    22.8
11          9.681    3.66   1.49700    81.5
12         15.620    0.15
13*         9.428    2.05   1.85400    40.4
14*        16.348    1.29
15(絞り)    ∞       0.18
16         26.842    2.78   1.89286    20.4
17        -20.234    0.15
18         20.418    7.49   1.80400    46.6
19         -6.220    1.00   1.85478    24.8
20         13.576    7.05
21         -6.032    1.20   1.84666    23.8
22        -13.292  (可変)
23        105.719    6.94   1.77250    49.6
24        -53.809  (可変)
像面        ∞
非球面データ
第3面
K = 0.00000e+000  A 4= 2.47081e-005  A 6=-2.83737e-007  A 8= 1.44448e-009
A10=-3.20040e-012  A12= 2.57263e-015
第13面
K = 0.00000e+000  A 4=-1.19840e-004  A 6= 6.86316e-008  A 8=-4.75239e-008
A10= 2.29146e-009  A12=-4.48752e-011
第14面
K = 0.00000e+000  A 4= 1.94545e-004  A 6= 1.08293e-006  A 8=-7.04018e-008
A10= 3.70892e-009  A12=-6.90821e-011
焦点距離      39.13
Fナンバー      5.65
半画角（度）  28.94
像高          21.64
レンズ全長    48.61
BF            10.00
横倍率        -1.00
レンズ群データ
群  始面    焦点距離
1    1      24.51
2   23      47.05  ※像面湾曲調整群
可変間隔(通常使用時)
d 22           4.03
可変間隔(オーバーの像面湾曲収差発生時)
d 22           3.03
可変間隔(アンダーの像面湾曲収差発生時)
d 22           5.03
【０１０７】
（数値実施例４）
単位 mm
面データ
面番号       r        d      nd         vd
1          ∞      (可変)                   ※1次結像面
2         46.047   13.89   1.85400    40.4
3*       -54.959   (可変)
4         32.206    1.25   1.49700    81.5
5         12.990   14.60
6        858.480    0.85   1.91650    31.6
7          7.519    2.99   1.76182    26.5
8         19.256    0.50
9         10.111    1.00   1.80810    22.8
10          6.099    4.63   1.49700    81.5
11        -31.946    0.15
12*        13.487    1.63   1.85400    40.4
13*        16.814    3.56
14(絞り)    ∞       0.87
15         27.854    2.54   1.89286    20.4
16        -17.617    0.15
17         11.146    2.84   1.77250    49.6
18        -10.542    1.00   1.85478    24.8
19          7.323    7.48
20         -6.743    1.20   1.72342    38.0
21        -72.392    1.25
22        254.289    3.43   1.88300    40.8
23        -22.352   26.60
像面        ∞
非球面データ
第3面
K = 0.00000e+000  A 4= 8.03279e-006  A 6=-2.38055e-008  A 8= 7.83615e-011
A10=-1.12226e-013  A12= 5.97591e-017
第12面
K = 0.00000e+000  A 4=-6.06559e-006  A 6=-1.32350e-007  A 8= 5.37547e-008
A10= 1.05411e-008  A12=-3.22508e-010
第13面
K = 0.00000e+000  A 4= 6.17090e-005  A 6= 1.66296e-006  A 8=-4.52122e-007
A10= 6.49853e-008  A12=-2.28762e-009
各種データ
ズーム比      1.00
焦点距離      58.54
Fナンバー     3.64
半画角（度）  13.13
像高          13.66
レンズ全長    58.09
BF           26.60
横倍率        -0.63
レンズ群データ
群  始面    焦点距離
1    1       ∞
2    2      31.32  ※像面湾曲調整群
3    4      15.62
可変間隔(通常使用時)
d 1            3.00
d 3           15.87
可変間隔(オーバーの像面湾曲収差発生時)
d 1            4.00
d 3           14.87
可変間隔(アンダーの像面湾曲収差発生時)
d 1            2.00
d 3           16.87
【０１０８】
（数値実施例５）
単位 mm
面データ
面番号       r        d      nd         vd
1          ∞      -0.94                      ※1次結像面
2          ∞       3.75   1.81600    46.6
3*      -199.466  (可変)
4         78.117   10.74   1.80400    46.6
5        -64.098  (可変)
6        -17.334    0.85   1.72825    28.5
7          9.633    6.41   1.59522    67.7
8        -25.910    0.15
9*        14.605    3.63   1.73800    32.3
10*        20.967    3.92
11(絞り)    ∞       0.60
12         32.832    2.70   1.89286    20.4
13        -27.513    0.15
14         17.355    4.13   1.80400    46.6
15        -12.717    1.00   1.85478    24.8
16         12.016   12.84
17         -9.075    1.20   1.84666    23.8
18        -41.476    2.78
19        -25.583    1.91   1.49700    81.5
20        -23.229    2.00
21       -271.779    6.94   2.05090    26.9
22        -34.012   12.32
像面        ∞
非球面データ
第3面
K = 0.00000e+000  A 4= 1.41579e-005  A 6=-8.38900e-008  A 8= 2.13861e-010
A10=-1.74101e-013  A12=-4.68480e-018
第9面
K = 0.00000e+000  A 4= 1.07997e-005  A 6= 3.67521e-007  A 8=-5.62550e-009
A10= 7.60776e-011  A12= 8.17137e-013
第10面
K = 0.00000e+000  A 4= 8.04343e-005  A 6= 6.81723e-007  A 8=-1.66052e-008
A10= 3.57675e-010  A12=-8.77217e-014
焦点距離      80.20
Fナンバー     5.60
半画角（度）  15.10
像高          21.64
レンズ全長    39.81
BF            12.32
横倍率        -1.00
レンズ群データ
群  始面    焦点距離
1    1     244.44
2    4      45.32  ※像面湾曲調整群
3    6      27.87
可変間隔(通常使用時)
d 3            3.14
d 5           39.80
可変間隔(オーバーの像面湾曲収差発生時)
d 3            4.14
d 5           38.80
可変間隔(アンダーの像面湾曲収差発生時)
d 3            2.14
d 5           40.80
【０１０９】
【表１】
2020118807.tif 000004
【０１１０】
［交換レンズの実施例］
本発明は、主光学系ＭＬと再結像光学系ＣＬが同一の鏡筒内に構成され、撮像装置１００に対して着脱可能な交換レンズにも適用されうる。当該交換レンズは、単焦点レンズでもよいし、ズームレンズでもよい。この場合、再結像光学系ＣＬは光軸上に挿脱可能に構成される。操作部材やユーザインターフェースを介してユーザから指示されることに応じて、再結像光学系ＣＬが光軸上または光軸外に配置される。再結像光学系ＣＬが光軸上に配置された場合において、像面湾曲調整群ＶＬが移動することによって、像面湾曲収差を他の収差成分に比べて調整可能な交換レンズを得ることができる。
【０１１１】
以上、本発明の好ましい実施例について説明したが、本発明はこれらの実施形態及び実施例に限定されず、その要旨の範囲内で種々の組合せ、変形及び変更が可能である。
【符号の説明】
【０１１２】
ＭＬ  主光学系
ＣＬ  再結像光学系
ＶＬ  像面湾曲調整群
ＩＰ１  １次結像面
ＩＰ２  ２次結像面
１００  撮像装置
２００  交換レンズ
３００  コンバータ装置
【図１】
2020118807.tif 000005
【図２】
2020118807.tif 000006
【図３】
2020118807.tif 000007
【図４】
2020118807.tif 000008
【図５】
2020118807.tif 000009
【図６】
2020118807.tif 000010
【図７】
2020118807.tif 000011
【図８】
2020118807.tif 000012
【図９】
2020118807.tif 000013
【図１０】
2020118807.tif 000014
【図１１】
2020118807.tif 000015
【図１２】
2020118807.tif 000016
【図１３】
2020118807.tif 000017
【図１４】
2020118807.tif 000018
【図１５】
2020118807.tif 000019
【図１６】
2020118807.tif 000020
【図１７】
2020118807.tif 000021
【図１８】
2020118807.tif 000022
【図１９】
2020118807.tif 000023
【図２０】
2020118807.tif 000024
【図２１】
2020118807.tif 000025
【図２２】
2020118807.tif 000026
【図２３】
2020118807.tif 000027
【図２４】
2020118807.tif 000028
【図２５】
2020118807.tif 000029
【図２６】
2020118807.tif 000030
【図２７】
2020118807.tif 000031
【図２８】
2020118807.tif 000032
【図２９】
2020118807.tif 000033
【図３０】
2020118807.tif 000034
【図３１】
2020118807.tif 000035
【図３２】
2020118807.tif 000036
【図３３】
2020118807.tif 000037
【図３４】
2020118807.tif 000038
【図３５】
2020118807.tif 000039